(57)【特許請求の範囲】
【請求項１】
複数の入力端子と複数の出力端子及びそれら入力端子と出力端子とを電気的に相互接続するため相互接続装置を有するコネクター・ジャック組立体において、
該コネクター・ジャック組立体が、フロント・エンドとリヤ・エンドとを持つ誘電体ブロック部材であって、前記誘電体ブロック部材が、２つのコネクタレベルを形成するように共に組み合わされる、実質的に同一の第１と第２の部材からなる、誘電体ブロック部材を具備し、
前記相互接続装置が、個々に１個の所定の入力端子を１個の所定の出力端子に接続する複数の導電体を各々が持つ第１と第２の導電体リード・フレームを具備し、
前記第１の導電体リード・フレームの各導電体を第１レベルに支持するための第１導電体サポートが前記誘電体ブロック部材上に形成され、
前記第２の導電体リード・フレームの各導電体を第１レベルから或る間隔を置いた第２レベルに支持するための第２導電体サポートが前記誘電体ブロック部材上に形成され、
前記第１及び第２の導電体リード・フレームの導電体が少なくとも２個の導電体ペアを形成し、それら２個の導電体ペアの各ペアの一方の導電体が前記第１レベルに支持され、それら２個の導電体ペアの各ペアの他方の導電体が前記第２レベルに支持されて対応する導電体ペアの前記一方の導電体に関して誘導ループを形成するようにし、
前記第１の導電体リード・フレームの２個の追加導電体が第３の導電体ペアを形成して、それら導電体の双方が前記第１レベルに支持されるようにし、
前記第２の導電体リード・フレームの２個の追加導電体が第４の導電体ペアを形成して、それら導電体の双方が前記第２レベルに支持されるようにしている、
ことを特徴とするコネクター・ジャック組立体。
【請求項２】
前記第１の導電体サポートが前記誘電体ブロック上に少なくとも２個の或る間隔を置いたランドを具備し、各ランドが導電体支持面を有し、前記第２の導電体サポートが前記ランド間に前記導電体支持面から或る間隔を置いたグルーブを有する
ことを特徴とする請求項１に記載のコネクター・ジャック組立体。
【請求項３】
前記第１の導電体リード・フレームがそれに沿って伸びる４個の平行に或る間隔を置いた導電体（１，２，３，６）を有し、且つ、前記第２の導電体リード・フレームがそれに沿って伸びる４個の平行に或る間隔を置いた導電体（３，５，７，８）を有し、導電体（１）と導電体（２）とが導電体ペアＩＩを形成し、導電体（３）と導電体（６）とが導電体ペアＩＩＩを形成し、導電体（４）と導電体（５）とが導電体ペアＩを形成し、導電体（７）と導電体（８）とが導電体ペアＩＶを形成し、
導電体（３）が前記第２レベルに支持され且つ導電体（６）が前記第１レベルに支持されてペアＩＩＩ内に誘導ループを生成し、導電体（４）が前記第１レベルに支持され且つ導電体（５）が前記第２レベルに支持されてペアＩ内にペアＩＩＩ内の前記誘導ループと相互に作用する誘導ループを生成する
ことを特徴とする請求項１に記載のコネクター・ジャック組立体。
【請求項４】
導電体（１）と導電体（２）とが前記第１レベルに支持されている
ことを特徴とする請求項３に記載のコネクター・ジャック組立体。
【請求項５】
導電体（７）と導電体（８）とが前記第２レベルに支持されている
ことを特徴とする請求項４に記載のコネクター・ジャック組立体。
【請求項６】
複数の入力端子と複数の出力端子及びそれら入力端子と出力端子とを電気的に相互接続するため相互接続装置を有し、該相互接続装置が、１個の所定の入力端子を１個の所定の出力端子に個々に接続する複数の導電体を各々が有する、第１及び第２のコネクター・ジャック組立体を具備する、コネクター・ジャック組立体で使用するための、
第１のブロック部材及びそれと実質的に同一の第２のブロック部材を有し、
前記第１のブロック部材及び前記第２のブロック部材が各々複数の平行に或る間隔を置いたリッジを有して、それらリッジの各々がその上に、前記第１及び第２のリード・フレームの少なくとも幾つかの導電体が接触するように適合されている導電体接触面を有するようにされ、
前記平行に或る間隔を置いたリッジが導電体受け面を有するグルーブによって互いに離間され、
前記第１及び前記第２のブロック部材が噛み合って前記誘電体ブロック組立体を形成し、各ブロック部材のリッジが他方のブロック部材のグルーブに嵌まるように適合されている、
ことを特徴とする誘電体ブロック組立体。
【請求項７】
更に、前記第１のブロック部材と前記第２のブロック部材とを一緒にラッチする手段を包含する
ことを特徴とする請求項６に記載の誘電体ブロック組立体。
【請求項８】
前記リッジのうちの１つが、前記一方のリード・フレームの導電体のうちの２個を受け、それらを平行に或る間隔を置いた関係に維持する面を有する
ことを特徴とする請求項６に記載の誘電体ブロック組立体。
【請求項９】
前記導電体接触面が第１の導電体レベルを規定し、前記導電体受け面が第２の導電体レベルを規定している
ことを特徴とする請求項６に記載の誘電体ブロック組立体。
【請求項１０】
前記各ブロック部材が、前記第２の導電体レベルに前記リード・フレームの一方の導電体のうちの２個を収容し、それらを平行に或る間隔を置いた関係に維持する面を有する
ことを特徴とする請求項９に記載の誘電体ブロック組立体。
【請求項１１】
電気コネクターで使用するための、
第１及び第２の端部を有する誘電体ブロック部材であって、前記誘電体ブロック部材が、２つのコネクタレベルを形成するように共に組み合わされる、実質的に同一の第１と第２の部材からなる、誘電体ブロック部材と、
前記誘電体ブロック部材上に実装され、且つ、実質的に互いに平行に前記第１の端部から前記第２の端部へ伸び、各々が第１の導電体と第２の導電体とを有する、少なくとも４個の導電体ペアを具備する複数の導電体と、
を具備し、
前記ペアのうちの第１のペアの第１及び第２の導電体が、第１レベル、即ち、上部レベルに前記ブロックに沿って伸び、
前記ペアのうちの第２のペアの第１の導電体が、前記第１レベルに前記ブロックに沿って伸び、且つ、前記ペアのうちの第２のペアの第２の導電体が第２レベル、即ち、下部レベルに前記ブロックに沿って伸び、前記第２のペアの前記第１及び第２の導電体が誘導ループを形成することが出来るように、前記第１レベル及び前記第２レベルが互いに充分に隔てられている、
ことを特徴とするコネクター・ジャック組立体。
【請求項１２】
前記第３のペアの第１の導電体が前記第１レベルに前記ブロックに沿って伸び、且つ、前記第３のペアの第２の導電体が前記第２レベルに前記ブロックに沿って伸びて、誘導ループを形成し、前記第２及び第３のペアが前記ブロック上に配置されて前記誘導ループが相互に作用するようにしていることを特徴とする請求項１１に記載のコネクター・ジャック組立体。
【請求項１３】
前記ペアのうちの別の１つのペアの前記第１及び第２の導電体が、前記第２レベルに前記ブロックに沿って伸びている
ことを特徴とする請求項１１に記載のコネクター・ジャック組立体。
【請求項１４】
前記ペアのうちの第４のペアの前記第１及び第２の導電体が、前記第２レベルに前記ブロックに沿って伸びている
ことを特徴とする請求項１２に記載のコネクター・ジャック組立体。
【請求項１５】
電気コネクターで使用するための、
第１及び第２の端部を有する誘電体ブロック部材であって、前記誘電体ブロック部材が、２つのコネクタレベルを形成するように共に組み合わされる、実質的に同一の第１と第２の部材からなる、誘電体ブロック部材と、
前記誘電体ブロック部材上に実装され、且つ、実質的に互いに平行にそれらの長さの少なくとも一部を覆って前記第１の端部から前記第２の端部へ伸び、各々が第１の導電体と第２の導電体とを有する、少なくとも４対の導電体を具備する複数の導電体と、を具備し、
前記ペアのうちの第１のペアの第１の導電体が第１レベルに前記ブロックに沿って伸び、且つ、前記ペアのうちの前記第１のペアの第２の導電体が第２レベルに前記ブロックに沿って伸び、前記第１のペアの前記第１及び第２の導電体が誘導ループを形成することが出来るように、前記第１レベル及び前記第２レベルが互いに充分に隔てられており、
前記ペアのうちの第２のペアの第１の導電体が、前記第１レベルに前記ブロックに沿って伸び、且つ、前記ペアのうちの前記第２のペアの第２の導電体が前記第２レベルに前記ブロックに沿って伸びて、誘導ループを形成し、前記第１及び第２のペアが前記ブロック上に配置されて前記誘導ループが互いに作用するようにしており、
第３の導電体ペアの第１及び第２の導電体が前記ブロックに沿って伸び、且つ、前記第１の導電体が前記第１レベルに在り、前記第２の導電体が前記第２レベルとは異なるレベルに在る、
ことを特徴とするコネクター・ジャック組立体。
【請求項１６】
更に、第４の導電体ペアを包含し、該第４の導電体ペアの第１の導電体が前記第１レベルに在り、第２の導電体が前記第１レベルとは異なるレベルに在る
ことを特徴とする請求項１５に記載のコネクター・ジャック組立体。
【発明の詳細な説明】
【０００１】
【発明の属する技術分野】
本発明は通信システムのクロストーク低減に関し、特にそのようなシステムで使用されるコネクター及びコネクター・ジャックで生じるクロストーク低減に関する。
【０００２】
【従来の技術】
通信システム及びデータ伝送システムは、近年、非常に進化し複数のユーザーばかりでなくより高いデータ転送速度に適合するように設計されており、その結果、益々高い周波数が使用されるようになり、且つ、信号通信量が非常に増大している。今日のケーブル及び配線は、理論的にはそのような増大周波数量及びトラヒック量を取り扱うことは可能であるが、配線路自体が実質的には電磁輻射線の放射及び受信の双方を行うアンテナになり、その結果クロストーク問題を引き起こす。このクロストーク問題は局内ハードウエアが複数のワイヤー・ペアを必要とするとき、悪化される。異なるワイヤ・ペア間の信号結合（クロストーク）は、装置が入信信号を処理する性能を低下させる干渉原因である。このことは量的に低下した信号対雑音比として現われ、その結果、信号処理における誤り率が増加する。周波数の必要な増加が実行されるとき、クロストーク問題はますます重要な関心事になる。
【０００３】
ケーブルでのクロストークを低減するために、個々のペアをシールドする方法やツイスト・ペアをらせん状に巻き上げる方法、あるいは、可能であれば各ペア間の物理的間隔を増大する方法のような様々な方法が使用されていた。しかし、クロストークはまた、局内ハードウエア及びそのケーブルへの結線でも生じる。経済性、使い勝手及び規格化などの理由により、局内ハードウエア構成部品、特にプラグ及びジャックの実用性を出来るだけ高い周波数あるいはデータ転送速度に広げ、既成の標準構成部品からの逸脱を最小にすることが望ましい。
【０００４】
運悪く、プラグ及びジャックは、ケーブル及び配電モジュールのようなハードウエアを相互接続するために使用されるのが最も普通であり、一般的に８本までの必然的に互いに接近し且つ平行に配列されたワイヤ（４ペア）を含み、この状態はたとえ近距離であったとしても過大な漏話を起こし、信号の周波数あるいはデータ転送速度が増進されるにつれて悪化される。従って、プラグ及びジャックが概略的にワイヤー−端子間接続に対するＡＮＳＩ／ＥＩＡ／ＴＩＡ標準を適合する限りでは、好ましくないしばしば受け入れ難いクロストークが発生される。
【０００５】
これまでに、標準化の制限の中で、クロストークを低減する構成部品を設計する多数の試みが存在した。
【０００６】
Ｄｅｎｋｍａｎｎ等の米国特許第５１８６６４７号には、特に、標準コネクターの一般的構成を抜本的に変更することなくクロストークを低減することを目的とする電気コネクター構成が示されている。その特許のコネクターは、誘電体スプリング・ブロック上に実装された１対のリード・フレームによって相互接続された数個の入力端子及び出力端子を具備する。各リード・フレームは複数個の平坦で細長い導電体を具備し、各導電体はその一端がスプリング接点によって終端され、他端が絶縁除去コネクターで終端されている。
【０００７】
ＡＮＳＩ／ＥＩＡ／ＴＩＡ５６８標準に従って、どういった端子割り当てがワイヤー・ペアＩ（端子４及び５）に指定されるかはワイヤー・ペアＩＩＩ（端子３及び６）に対する端子割り当てによって挟叉され、その状態は特に厄介な問題となるクロストークを発生する。このクロストークを補償あるいは減少させるために、１個のリード・フレームの導電体のうちの３個が指定された交差領域内で他のリード・フレームの導電体のうちの３個と重なり、それにより、それら導電体のうちの特定の導電体間で使用中に生じる補償クロストークが誘起される。そのような構成は、クロストークを低減するのにかなり良く機能することが見出されたが、それは既存のハードウエアを幾らか変更することを必要とし、その結果、それは一層の出費を表す。その結果、クロストーク問題に対する他の解決策が探し求められている。
【０００８】
Ｖａｄｅｕの米国特許第５６７４０９３号では、概ね互いに平行であるスプリング接点が、それらの自由端と殆どのコネクター・スプリング接点の大きな湾曲特徴部との間を非平行に為されている電気コネクター構成が示されている。隣接接点が互いに平行でないので、それらの間のクロストーク誘起容量が低減され、従って減クロストーク特性を発生する。また、それら接点が一つおきに同じ形状を持ち、容量性非干渉化効果が存在する。そのような構成はクロストークを著しく低減するが、しかし以下に説明するようにペアＩとペアＩＩＩとの間の特に厄介な問題となるクロストークが依然として不所望な即ちとてつもない量に極めて近いことである。
【０００９】
標準のモジュラー・プラグ−ジャック・インタフェースによって誘起されるクロストーク結合の影響を、それらが上記モジュラー・ジャックから引き出した後導電体を適切に配置し、プラグ及びジャックの内部で誘起されたクロストーク信号と逆位相のクロストーク信号を誘起することによって大幅に低減することが出来ることが見出された。導電体をそのように適切に配置することは、その導電体をモジュラー・ジャックから印刷配線ボードへ引き出すことによって達成することが出来、この場合正味のクロストーク低減が引き起こされるように印刷配線ボード上にワイヤーを引き廻すことができる。それら導電体ペアを形成する回路パターンは、ジャック及びプラグ内に生じるクロストークと逆極性のクロストークを発生するパターンに引き廻されることが好ましい。
【００１０】
１９９６年９月６日に出願された、Ｐｈａｒｎｅｙ等の米国特許出願第０８／７１１６９９号には、配電モジュールのような通信システムのコネクター・アレイと共に使用するためのクロストーク補償回路ボード部材が図示及び記載されている。その回路ボード部材は、コネクター・ジャック内の数対（通常、４対）のリードの各々に対する導電路が印刷された配線ボードを具備し、その配線ボードは幾つかのそのようなジャックに対応することが出来る。それらの導電路は、最大の相互作用を得るため実質的に互いに鏡像を成す対向する誘導ループを生成する方法で引き廻され、異なるペア組合わせ間に電磁的相互作用を引き起こす。それらの導電路はまた、誘導結合だけでなく、容量結合を実現するように引き廻されるようにすることも出来る。そのような構成はクロストークの有害な影響を低減するのに極めて有効である。しかし、それは標準のプラグ及びジャックに有効であるが、特殊な回路ボード構成を必要とする。
【００１１】
【発明が解決しようとする課題】
１個以上の標準化された構成部品の抜本的な変更や、特殊な回路ボード構成あるいは誘電体スプリング・ブロック・コネクター・ジャックのような１つの構成部品の内部の異なる導電体ペアのクロストーク補償クロスオーバを必要とすることなく、正味のクロストーク低減を達成するための構成が必要であるが、従来技術では明らかに知られていなかった。
【００１２】
【課題を解決するための手段】
本発明はこれらの所望の目的を達成するための構成を提供する。特に、本発明の好適な実施例では、コネクター・ジャックの誘電体スプリング・ブロック、即ち、コネクター・ジャック組立体がスタガード構成（ｓｔａｇｇｅｒｅｄ  ｃｏｎｆｉｇｕｒａｔｉｏｎ）のリード・フレームを有する。従って、４ペア構成では、ペアＩＩのリード（この構成では、リード１及び２）がスプリング・ブロック、即ち、コネクター・ジャックにその第１レベル、即ち、上部レベルに保持されて貫通し、ペアＩＶのリード（この構成では、リード７及び８）が互いに平行に且つリード１及び２とも平行にスプリング・ブロック、即ち、コネクター・ジャックにその第２レベル、即ち、下部レベルに保持されて貫通する。ペアＩＩＩ（この構成では、リード３及び６）に関しては、リード３がスプリング・ブロック、即ち、コネクター・ジャックにその第２レベル、即ち、下部レベルに支持され、リード６がスプリング・ブロック、即ち、コネクター・ジャックにその第１レベル、即ち、上部レベルに支持される。従って、リード３及び６は互いに関してスタガード配列されている。ペアＩのリード（この構成では、リード４及び５）は、リード４が第１レベルにあり、リード５が第２レベルにあり、同様に互いに関してスタガード配列されている。上記誘電体スプリング・ブロック、即ち、コネクター・ジャック組立体は下部分と上部分の２個の実質的に同一のパーツから成り、各パーツは或る間隔を置いた直立リッジ即ちランドとそれらランド間のグルーブ即ち谷部とを有する。下部分のランドはリードを第１レベルに支持し、グルーブはリードを第２レベルに支持する。上部分のランドは下部分のランド即ちリッジ間に嵌まるように隔てられ、第２レベルのリードに突き当たる。この結果、上部分と下部分とが噛み合わされると、リードが決まった位置にしっかりと保持される。
【００１３】
稼動中、リード３と６（ペアＩＩＩ）のスタガード配列された間隔取りはそれらリード間に誘導ループを生成し、リード４と５（ペアＩ）のスタガード配列された間隔取りはそれらリード間に誘導ループを生成する。前出のＰｈａｒｎｅｙ等の出願第０８／７１１，６９９号に開示されているように、対向する誘導ループが互いに電磁的且つ静電的に作用するように配置されている結果、ペアＩとペアＩＩＩとの間にそれらの間の総合有効クロストークを低減する補償クロストークが発生される。その結果、クロストークは、信号が過度に大きな誤り比を持つ点への信号伝送品質をもはや低下させない。上記Ｐｈａｒｎｅｙ等の出願では、それら誘導ループが最大効果を得るために互いに鏡像を成すべきであることが指摘されている。本発明では、それらループは鏡像を成していないが、しかし、それらは互いに充分に近接しており、それらの電磁的及び静電的相互作用によって高度のクロストーク補償を達成する。
【００１４】
本発明の、スプリング・ブロック内のリード・フレームのスタガード配列により、例えば配電モジュールのような、スプリング・ブロックが使用されている装置の他の部分を何れも変更することなく、更に交差を必要とせずに、目的とする所望のより低いクロストークが達成される。また、リードはプラグ即ち信号ソースにより近くに補償手段を持ち、それにより効果を増進する。
【００１５】
【発明の実施の形態】
図１は、標準モジュラー・プラグ（図示せず）を受け入れる複数のプラグ・コンセント１３を持つ前面枠１２を具備する配電盤用配電モジュール１１を示す。プラグ・コンセント１３は前面枠１２を貫通し、その後面に、正しい位置に在るときこれらモジュラー・プラグと接続する複数のコネクター・ジャック１４を受けるように適用されている。
【００１６】
図２は、本例示実施例における、便宜のため、ペアＩ、ペアＩＩ、ペアＩＩＩ及びペアＩＶとして指定される４つのワイヤ・ペアの各ワイヤーの位置割り付けを示す図である。４対のプラグ及びジャックを持つコネクターの標準構成は、図２に示すように、８つの位置を有し、ペアＩＩの１つのワイヤーは、例示目的のため、チップ・ワイヤーは位置１を占め、その対応するリング・ワイヤーが位置２を占めている。ペアＩのチップ・ワイヤーは位置５を占め、その対応するリング・ワイヤーが位置４を占めている。ペアＩＩＩのチップ・ワイヤーは位置３を占め、その対応するリング・ワイヤーが位置６を占め、その結果、ペアＩＩＩがペアＩと挟叉するように為されている。ペアＩＶのチップ・ワイヤーは位置７を占め、その対応するリング・ワイヤーが位置８を占めている。ここでの説明のため、チップ・ワイヤーは正方向進行状況即ち正と考えられ、リング・ワイヤーは負方向進行状況即ち負と考えられる。図２に示されるワイヤー配置構成はプラグからコネクター・ジャック１４までに通用し、図１の構成の部分の内、クロストークが誘起される箇所である。
【００１７】
図２に示されるワイヤー配置はＴＩＡ／ＥＩＡ５６８Ａ、タイプＢを指定されている。ＴＩＡ／ＥＩＡ５６８Ａ、タイプＡに関しては、配線ペアＩＩとＩＩＩとが入れ替えられている。以下、この説明は、簡単化のため、タイプＢに宛てられているが、タイプＡも容易に使用することが可能であり、本発明の特徴を容易にタイプＡに適用することが出来る。コネクター・ジャック１４は誘電体スプリング・ブロック１５とその中に実装されているワイヤー・フレームとを具備し、４ペア構成では各ワイヤー・フレームが誘電体スプリング・ブロック１５の後部から突出し、回路ボード１８のピン・ホール１７に挿入することが出来る８本のジャック・ピン１６を有する。回路ボード１８は、続いて絶縁除去コネクター１９のような適当な手段により、図１に簡単にケーブル・コネクターのような、そのような関連する回路を包含する配電モジュール１１の背面部材２１によって表されている関連回路に接続されている。先に指摘されているように、不要クロストークの大部分は上記モジュラー・プラグとプラグ・コンセント１３内の配線で発生する。
【００１８】
本発明の構成部品の好適な実施例は、図３の（Ａ）（Ｂ）及び（Ｃ）から成る展開斜視図に示されるように、本発明のスプリング・ブロック組立体即ちコネクター・ジャック１４の構成部品を形成している。図から分かるように、スプリング・ブロック組立体即ちコネクター・ジャック１４は上側誘電体ブロック２２、下側誘電体ブロック２３、第１リード・フレーム２４及び第２リード・フレーム２６の４個の基本的構成部品を具備する。用語“上”及び“下”は単に図中での位置づけを表し、必ずしも使用されている位置づけを表すものではない。上側誘電体ブロック２２及び下側誘電体ブロック２３は実質的に互いに同一であり、図３のほか図４及び図５からもより明らかになるように、噛み合うように設計されている。
【００１９】
図２の構成を観察すると、第１リード・フレーム２４はリード１，２，４及び６を具備し、第２リード・フレーム２６はリード３，５，７及び８を具備する。それらリードは各々、ピン・ホール１７を介してスプリング・ブロック組立体即ちコネクター・ジャック１４を回路ボード１８へ結合する圧入はと目部材（ｐｒｅｓｓｆｉｔ  ｅｙｅｌｅｔ  ｍｅｍｂｅｒ）２５中で終端している。それらリードの他の端部は、図示のように、塞がれていない。
【００２０】
上側誘電体ブロック２２はその上部に平行に縦方向に伸び、この上側誘電体ブロック２２のフロント面２８に続いている複数のグルーブ２７を有する。下側誘電体ブロック２３では、その底部にグルーブ２７が形成されている。勿論、言うまでもなく、もし下側誘電体ブロック２３が反転された場合には、それが上側誘電体ブロック２２に相当することになり、逆の場合も同様である。図４及び図５から最も良く分かるように、各ブロックは、第１及び第２の或る間隔を置いた直立リッジ即ちランド２９及び３１、並びにより大きな直立リッジ即ちランド３４を有し、ランド２９及び３１はそれぞれ平坦な縦方向に伸びた上面３２及び３３を有し、ランド３４は切り込み３８及び３９が形成された縦方向に伸びたリッジ３６及び３７を有する。ランド２９、３１及び３４は、導電体受け面を持つグルーブ３５によって互いに離間されている。リッジ３６及び３７は、上側誘電体ブロック２２及び下側誘電体ブロック２３の端部までは伸びておらず、その結果、図示されるように、ランド３４上に平坦な逃げ部４１が残されている。上側誘電体ブロック２２及び下側誘電体ブロック２３は各々ランド２９の側部へ伸びる平坦部４２を有し、それらの上に、図６で最も良く分かるように、導電体リードを受けるするための縦方向のグルーブ４８及び４９を形成している互いに間隔を置いた隆起部４３と４４及び４６と４７を有する。
【００２１】
図６はスプリング・ブロック組立体即ちコネクター・ジャック１４を組み立てる第１段階を表している。見られる如く、リード１はリッジ３６と３７との間に形成されているグルーブ内に配置され、リード２はランド３４の上面上に配置され、リード１からリッジ３６によって離間されている。それらリードは、図３の（Ｃ）から最も良く分かるように、グルーブ２７内でランド３４の湾曲端縁を囲むように曲げられている。各グルーブ２７はその中に位置合わせ兼保持用突起５１を有し、リードがそれら個々のグルーブ内で固定されるようにすることによって位置合わせを容易にしている。リード４はランド３１の縦方向の面３３の上に配置され、リード１及び２と同様な方法で曲げられており、リード６はランド２９の縦方向の上面３２の上に配置され、やはり同じように曲げられている。リード３はランド３４と３１との間に形成されているグルーブ内の下部レベルに支持され、リード５はランド２９と３１との間で同じ下部レベルに支持され、リード７はトラック即ちグルーブ４９中の平坦部４２によって下部レベルに支持され、リード８はトラック即ちグルーブ４８中の平坦部４２によって同様に支持されている。
【００２２】
リード３、５、７及び８は各々、リード１、２、４及び６が曲げられた方法と同様にして下側誘電体ブロック２３のフロント・エンドを囲むように曲げられ、その結果、８本のリードの端部３０が実質的に同一の面に在る。従来技術での如く、それらリードの自由端部は平面アレイで下側誘電体ブロック２３の前部から後部へ降下し、それらの降下角で、プラグ・コンセント１３の１つに挿入されたプラグと接続するスプリング接点を生成している（図１参照）。
【００２３】
図６に示される組立て段階が完了した後、上側誘電体ブロック２２が図５に示されるように横方向軸の回りに矢印方向に回転される。換言すると、上側誘電体ブロック２２が縦にして回転され、下側誘電体ブロック２３と噛み合わされる。切り込み３８及び３９が隆起部４３及び４４に嵌合し、平坦な逃げ部４１が隆起部４６及び４７に突き当たり、その結果、リード１と２及び７と８が正しい位置に維持される。上側誘電体ブロック２２のランドの上面３２と３３がリード３及び５に突き当たり、リード４及び６が上側誘電体ブロック２２のランド２９と端部３０との間のグルーブ及びランド３１と３４との間のグルーブの底によって正しい位置に保持される。
【００２４】
図７はプラグ組立体即ちスプリング・ブロック組立体（コネクター・ジャック）１４の後部即ち回路ボード接続側の斜視図であり、図８はコネクター・ジャック１４の前部即ちジャック・プラグ接続側の斜視図である。これら２つの誘電体ブロック２２及び２３は、下側誘電体ブロック２３上に示されランド３４の開口部５３と噛み合うラッチ部材５２によって一体に保持され、ラッチ部材５２と開口部５３とが逆の場合も同様である。
【００２５】
図９には、コネクター・ジャック１４の種々のリード、及び、図７並びに図８に示されるようなコネクター・ジャック１４に実装されるときの互いの位置づけが示されている。ペアＩＩＩのリード３と６のスタガード配列関係により、それらリードに信号が存在するとき、それらリード間に破線で示されるような誘導ループ５６が生成される。同様にして、一点鎖線で示されるような誘導ループ５７がペアＩのリード４と５との間に形成される。
【００２６】
図から分かるように、それら２つの対向する誘導ループは接近しており、その結果それらの間に電磁的及び静電的相互作用が存在する。誘導ループ５６及び５７は、最大の相互作用を引き起こす平行面には無いが、第１レベルと第２レベルとの間の上記間隔取りによって実質的な相互作用が存在し、顕著な量の補償クロストークが発生される。この相互作用により、ペアＩとペアＩＩＩとにそれらペア間に存在しているクロストークを打ち消す補償クロストークが発生される。もし主にそのプラグに生じている既存のクロストークが負であれば、それらループ間の結合により正の補償クロストークが発生され、その結果、ペアＩとペアＩＩＩとの間に存在する総クロストークが低減される。
【００２７】
図２に示されるリード配置構成のため、過去にはペアＩとペアＩＩＩとは最も厄介な問題であり、ペアＩＩとペアＩＶとは多くの問題を起こさないことが判明していた。標準６５７Ｃジャックと本発明のスタガード配列で組合わされたジャックの１００ＭＨｚで測定されたクロストーク特性の表である図１０に示されるように、本発明の構成により、ペアＩとペアＩＩＩとの間のクロストークが著しく低減される。
【００２８】
別々のペア間に存在するクロストークがマイナス４０ｄＢ（−４０ｄＢ）より低いときのクロストーク特性は一般的に許容可能であると考えられている。ここで取り扱う値が負である限り、マイナス６０ｄＢはマイナス４０ｄＢより低い（−６０ｄＢ＜−４０ｄＢ）。図１０の表から、ペアＩとペアＩＩとの間及びペアＩとペアＩＶとの間の近端クロストークはほんの僅か改善されるが、しかしそれらペアが通常クロストークによって最も悪影響を受けるペアＩとペアＩＩＩとの間のクロストークが激烈に低減されている。残るペア組合わせは標準プラグより大きなクロストークであることを示しているが、しかし測定されたクロストークは全てのケースで−４０ｄＢより低い。複数のペアを持つジャックでは、各ペアに悪影響を与える全ての他のペアからの幾らかのクロストークが存在する。従って、図９の表はまた、各ペアに対する、それらに存在する全クロストークのパワー総量を表示する。図から分かるように、ペアＩとペアＩＩとの双方に、それらによって誘導ループ５６及び５７が形成されてクロストークの減少が有り、ペアＩＩとペアＩＶのクロストークは実質的に変わらないが、しかしそれらは−４０ｄＢの限度を超過していない。
【００２９】
パワー総量は、複数の信号を伝えるケーブル接続のための近端クロストーク（Ｎｅａｒ  Ｅｎｄ  Ｃｒｏｓｓｔａｌｋ；ＮＥＸＴ）を特徴づけるために一般的に使用されているＡＳＴＭ  Ｄ４５６６測定及び計算方法である。試験対象のペア以外の全てのペアが通電され、同時に不要なクロストーク・エネルギーを上記試験対象のペアに結合すると想定する。この特徴づけは、ペア間ＮＥＸＴ（近端クロストーク）要求基準よりもっと厳重である。“パワー総量”性能はリンクあるいはチャネルで使用されている全ての構成部品に渡り、全体的に維持されることが重要である。
【００３０】
【発明の効果】
以上説明したように、本発明は、１個以上の標準化された構成部品の抜本的な変更や、特殊な回路ボード構成あるいは誘電体スプリング・ブロック・コネクター・ジャックのような１つの構成部品の内部の異なる導電体ペアのクロストーク補償クロスオーバを必要とすることなく、正味のクロストーク低減を達成する効果が得られる。
【００３１】
なお、特許請求の範囲に記載した参照符号は発明の理解を容易にするためのものであり、特許請求の範囲を制限するように理解されるべきものではない。
【図面の簡単な説明】
【図１】本発明のスプリング・ブロック、即ち、コネクター・ジャックが一緒に使用されている配電盤配電モジュールの展開斜視図。
【図２】図１の配電モジュールの、標準の導電体ペア位置づけを例示する、一方のジャック・フレーム開口部を示す図。
【図３】本発明のスプリング・ブロック組立体、即ち、コネクター・ジャック組立体の展開斜視図。
【図４】本発明の誘電体ブロックを構成する下部ブロックの斜視図。
【図５】本発明の誘電体ブロックを構成する上部ブロックの斜視図。
【図６】本発明のスプリング・ブロック組立体、即ち、コネクター・ジャック組立体の一段階の斜視図。
【図７】本発明のスプリング・ブロック組立体、即ち、コネクター・ジャック組立体を後方から見た斜視図。
【図８】本発明のスプリング・ブロック組立体、即ち、コネクター・ジャック組立体を前方から見た斜視図。
【図９】スプリングと、Ｉ−ＩＩＩペアの有効に対向する補償ループとの関係を示す図。
【図１０】標準スプリング・ブロック若しくはジャックと本発明のスタガード配列スプリング・ブロック若しくはジャックの近端クロストークの測定値とを比較した表。
【符号の説明】
１  ２  ３  ４  ５  ６  ７  ８  リード（導電体）
１１  配電モジュール
１２  前面枠
１３  プラグ・コンセント
１４  コネクター・ジャック
１５  誘電体スプリング・ブロック
１６  ジャック・ピン
１７  ピン・ホール
１８  回路ボード
１９  絶縁除去コネクター
２１  背面部材
２２  上側誘電体ブロック
２３  下側誘電体ブロック
２４  第１リード・フレーム
２５  圧入はと目部材
２６  第２リード・フレーム
２７  グルーブ
２８  フロント面
２９  ランド
３０  端部
３１  ランド
３２  ３３  上面
３４  ランド
３５  グルーブ
３６  ３７  リッジ
３８  ３９  切り込み
４１  逃げ部
４２  平坦部
４３  ４４  ４６  ４７  隆起部
４８  ４９  グルーブ
５１  突起
５２  ラッチ部材
５３  開口部
５６  ５７  誘導ループ
【図１】
0003547639.tif 000002
【図２】
0003547639.tif 000003
【図３】
0003547639.tif 000004
【図４】
0003547639.tif 000005
【図５】
0003547639.tif 000006
【図６】
0003547639.tif 000007
【図７】
0003547639.tif 000008
【図８】
0003547639.tif 000009
【図９】
0003547639.tif 000010
【図１０】
0003547639.tif 000011